(57)【要約】【課題】貯留タンクの遊技球の球抜きが容易となる球払出装置及び遊技機を得る。【解決手段】パチンコ機１０の球払出装置１００は、貯留タンク８０の球排出部８２に設けられた球受部材１０２と、球受部材１０２の側面に形成された球抜口１０６と、球受部材１０２の底面に形成された球払出口１０４Ａ、１０４Ｂと、球受部材１０２を回転可能に支持する支持シャフト８７と、支持シャフト８７と同軸上に設けられた駆動ギヤ１２２と、球を払い出すスクリュー部材１０８とを有している。ここで、貯留タンク８０の一斉球抜き時には、支持シャフト８７を回転中心として球受部材１０２を回転させ、球抜口１０６を下に向ける。これにより、球受部材１０２内に残留しているパチンコ球ＰＢは、スクリュー部材１０８を回転させなくても取り除かれるので、貯留タンク８０内のパチンコ球ＰＢの球抜きを容易に行うことができる。【選択図】図４
2010207282.tif 000002
【特許請求の範囲】
【請求項１】
遊技機が設置される島設備から供給された遊技球を貯留する貯留タンクの球排出部に設けられた箱体と、
前記箱体の側面に形成され前記貯留タンクの遊技球を球抜きする時に前記箱体から遊技球が流出する球抜口と、
前記箱体の底面に形成され前記貯留タンクの遊技球を払い出す時に前記箱体から遊技球が流出する球払出口と、
前記箱体を回転可能に支持して前記球抜口が下を向く形態又は前記球払出口が下を向く形態に回動させる回動手段と、
前記箱体内に設けられ前記箱体内の遊技球を前記球払出口から決められた個数だけ払い出す球払出手段と、
を有する球払出装置。
【請求項２】
前記回動手段は、前記箱体を回転可能に支持する第１シャフトと、前記第１シャフトと同軸上に設けられ駆動源により回転駆動又は駆動停止される第１ギヤと、を有し、
前記球払出手段は、前記箱体に設けられた第２シャフトと、前記第２シャフトの外周面に設けられた螺旋状の羽部と、前記第２シャフトの端部に固定され前記第１ギヤと噛合した第２ギヤと、を有する請求項１に記載の球払出装置。
【請求項３】
前記球排出部の側壁には、前記第１シャフトの軸方向に突出した凸部が形成され、
前記箱体は、前記第１シャフトを中心とする円弧状で且つ終端部が中央部よりも狭い狭幅部とされ前記凸部が挿通される溝が形成されたガイド板を備え、
前記球抜口が下を向いているとき又は前記球払出口が下を向いているときに、前記凸部と前記狭幅部とが係合する請求項２に記載の球払出装置。
【請求項４】
前記ガイド板は、弾性を有する弾性部材で構成され、
前記箱体は、導電性を有する導電部材で構成された請求項３に記載の球払出装置。
【請求項５】
前記球払出口を下へ向けさせる前記箱体の回転方向は、前記第２ギヤの回転駆動方向と同じである請求項２から請求項４のいずれか１項に記載の球払出装置。
【請求項６】
前記球排出部には、前記貯留タンクから流下する遊技球の数量を制限する遊技球制限部材が設けられている請求項１から請求項５のいずれか１項に記載の球払出装置。
【請求項７】
前記ガイド板には、摘み部が突設されている請求項３から請求項６のいずれか１項に記載の球払出装置。
【請求項８】
請求項１から請求項７のいずれか１項に記載の球払出装置と、
前記球抜口から流下した遊技球が通過する球抜通路と、
前記球抜通路に一体に設けられ、前記球払出口から流下した遊技球が通過する球払出通路と、
を有する遊技機。
【発明の詳細な説明】
【技術分野】
【０００１】
本発明は、球払出装置及び遊技機に関する。
【背景技術】
【０００２】
従来、遊技球を用いて遊技を行うパチンコ機等の遊技機では、遊技が行われる遊技盤とは反対の裏面側に島設備から遊技球が供給される貯留タンクが設けられている。ここで、貯留タンクの球排出口に払出軸と螺旋体からなるスクリュー状の球払出部材を設けた遊技機がある（例えば、特許文献１参照）。
【０００３】
特許文献１の遊技機は、貯留タンクに貯留された遊技球を球払出部材の回転によって一球ずつ球払出口に搬送して、遊技球の払い出しを行っている。
【０００４】
しかし、特許文献１の遊技機では、清掃又は遊技機交換のために貯留タンクの遊技球を一斉球抜きするとき、球払出部材で搬送途中の遊技球は残留したままとなり、球払出部材を駆動（回転）させないと全部の球を抜くことができない。
【先行技術文献】
【特許文献】
【０００５】
【特許文献１】特開２００８−１２５５８１
【発明の概要】
【発明が解決しようとする課題】
【０００６】
本発明は、貯留タンクの遊技球の球抜きが容易となる球払出装置及び遊技機を得ることを目的とする。
【課題を解決するための手段】
【０００７】
本発明の請求項１に係る球払出装置は、遊技機が設置される島設備から供給された遊技球を貯留する貯留タンクの球排出部に設けられた箱体と、前記箱体の側面に形成され前記貯留タンクの遊技球を球抜きする時に前記箱体から遊技球が流出する球抜口と、前記箱体の底面に形成され前記貯留タンクの遊技球を払い出す時に前記箱体から遊技球が流出する球払出口と、前記箱体を回転可能に支持して前記球抜口が下を向く形態又は前記球払出口が下を向く形態に回動させる回動手段と、前記箱体内に設けられ前記箱体内の遊技球を前記球払出口から決められた個数だけ払い出す球払出手段と、を有する。
【０００８】
上記構成によれば、箱体が球払出口を下に向けて配置されている球払い出し時には、球抜口が貯留タンク側に配置され、遊技球は貯留タンクから球抜口を通って箱体内に流下する。そして、箱体内に設けられた球払出手段が、箱体内の遊技球を球払出口から決められた個数だけ払い出す。
【０００９】
一方、貯留タンクの遊技球の球抜きを行う時には、回動手段を用いて箱体を回動させ、球抜口を下に向けて配置する。これにより、球抜口が側方に退避し、遊技球は貯留タンクから球抜口を通って球払出手段を経由せずに箱体の外側へ排出され、球抜きされる。
【００１０】
ここで、箱体内に残留している遊技球は、箱体を回転させれば球抜口へ落下するため、球払出手段を動作させなくても取り除かれる。これにより、貯留タンク内の遊技球の球抜きを容易に行うことができる。また、箱体を回転させるだけで球抜口と球払出口を切り換えられるので、箱体をスライド移動させるような余分なスペースが不要となり、球払出装置を省スペース化できる。
【００１１】
本発明の請求項２に係る球払出装置は、前記回動手段は、前記箱体を回転可能に支持する第１シャフトと、前記第１シャフトと同軸上に設けられ駆動源により回転駆動又は駆動停止される第１ギヤと、を有し、前記球払出手段は、前記箱体に設けられた第２シャフトと、前記第２シャフトの外周面に設けられた螺旋状の羽部と、前記第２シャフトの端部に固定され前記第１ギヤと噛合した第２ギヤと、を有する。
【００１２】
上記構成によれば、球払い出し時には、駆動源が第１ギヤを回転させることで第１ギヤと噛合した第２ギヤが回転し、第２シャフト及び羽部が回転する。箱体内の遊技球は、羽部によって搬送され、球払出口から決められた個数だけ払い出される。
【００１３】
一方、球抜き時には、第１シャフトを回転中心として第１ギヤの周りに第２ギヤを転動させることにより箱体を回転させて球抜口を下に向ける。これにより、球払出口が側方に退避し、遊技球は貯留タンクから球抜口を通って球払出手段を経由せずに箱体の外側へ排出され、球抜きされる。
【００１４】
ここで、箱体内に残留している遊技球は、箱体を回転させれば球抜口へ落下するため、駆動源で第２シャフト及び羽部を回転させなくても取り除かれる。これにより、貯留タンク内の遊技球の球抜きを容易に行うことができる。また、シャフト、羽部、及びギヤで回動手段及び球払出手段が構成されるので、回動手段及び球払出手段が簡易な構成となり、球払出装置を省スペース化できる。
【００１５】
本発明の請求項３に係る球払出装置は、前記球排出部の側壁には、前記第１シャフトの軸方向に突出した凸部が形成され、前記箱体は、前記第１シャフトを中心とする円弧状で且つ終端部が中央部よりも狭い狭幅部とされ前記凸部が挿通される溝が形成されたガイド板を備え、前記球抜口が下を向いているとき又は前記球払出口が下を向いているときに、前記凸部と前記狭幅部とが係合する。
【００１６】
上記構成によれば、遊技球が払い出されるとき、又は遊技球の球抜きが行われるときに、凸部と溝の狭幅部とを係合させることにより、球抜口又は球払出口が下を向いた状態で箱体が固定される。これにより、球払い出し中又は球抜き中の箱体の回転を抑えて、貯留タンクから流下する遊技球の流れを安定させることができる。なお、箱体の回転途中は、溝の狭幅部よりも幅広の中央部に凸部が位置するため、凸部が溝に係止されず、箱体をスムーズに回転させることができる。
【００１７】
本発明の請求項４に係る球払出装置は、前記ガイド板は、弾性を有する弾性部材で構成され、前記箱体は、導電性を有する導電部材で構成されている。この構成によれば、溝を含むガイド板が弾性部材で構成されているので、凸部と溝の狭幅部との係合時に狭幅部が僅かに広がって係合が容易となり、溝の割れが起きにくくなる。また、遊技球を保持する箱体が導電部材で構成されているので、遊技球が流下するときの箱体との接触による静電気の発生を抑えることができる。
【００１８】
本発明の請求項５に係る球払出装置は、前記球払出口を下へ向けさせる前記箱体の回転方向は、前記第２ギヤの回転駆動方向と同じである。この構成によれば、駆動源が第１ギヤを回転させて第１シャフト、第２ギヤ、及び第２シャフトを回転させるとき、箱体には、球払出口を下へ向けさせるような方向に力が作用する。これにより、球払い出し時に箱体が回転しにくくなり、球払出口の位置を安定させることができる。
【００１９】
本発明の請求項６に係る球払出装置は、前記球排出部には、前記貯留タンクから流下する遊技球の数量を制限する遊技球制限部材が設けられている。この構成によれば、遊技球制限部材によって、箱体に流下する遊技球の数量が制限される。これにより、遊技球から箱体に作用する押圧力が制限され、箱体の回転を容易に行うことができる。
【００２０】
本発明の請求項７に係る球払出装置は、前記ガイド板には、摘み部が突設されている。この構成によれば、摘み部を摘んで回転させることにより箱体を回転させることができる。これにより、箱体の回転が容易となる。
【００２１】
本発明の請求項８に係る遊技機は、請求項１から請求項６のいずれか１項に記載の球払出装置と、前記球抜口から流下した遊技球が通過する球抜通路と、前記球抜通路に一体に設けられ、前記球払出口から流下した遊技球が通過する球払出通路と、を有する。この構成によれば、球払出装置が省スペースとなっており、さらに、球抜通路と球払出通路が一体化されて省スペースとなっているので、遊技機の省スペース化が可能となる。
【発明の効果】
【００２２】
本発明は、上記構成としたので、貯留タンクの遊技球の球抜きが容易となる。
【図面の簡単な説明】
【００２３】
【図１】本発明の実施形態に係るパチンコ機の斜視図である。
【図２】本発明の実施形態に係るパチンコ機のガラス枠及び皿ユニットが開放された状態を示す斜視図である。
【図３】本発明の実施形態に係るパチンコ機を裏面から見た斜視図である。
【図４】本発明の実施形態に係る貯留タンク及び球払出装置の斜視図である。
【図５】（ａ）、（ｂ）本発明の実施形態に係る貯留タンク及び球払出装置の斜視図である。
【図６】（ａ）本発明の実施形態に係る球払出装置の斜視図である。（ｂ）本発明の実施形態に係る球払出装置の駆動ギヤと従動ギヤの配置状態を示す模式図である。
【図７】（ａ）、（ｂ）本発明の実施形態に係る球受部材を回転させたときの貯留タンク及び球払出装置の斜視図である。
【図８】（ａ）本発明の実施形態に係る球払出装置の球払い出し状態を示す説明図である。（ｂ）本発明の実施形態に係る球払出装置の球抜き状態を示す説明図である。
【図９】（ａ）本発明の実施形態に係る球払出装置の球抜き状態を示す部分平面図である。（ｂ）本発明の実施形態に係る球受部材での球抜き状態を示す斜視図である。
【図１０】（ａ）、（ｂ）本発明の実施形態に係る球払出装置の球抜き状態を示す説明図である。
【発明を実施するための形態】
【００２４】
以下、本発明の実施形態に係る球払出装置及び遊技機について図面を参照して説明する。なお、本実施形態における一斉球抜きとは、基本的に、貯留タンク８０及び球払出装置１００内のパチンコ球全てを抜き取ることを意味しているが、球の整列状態により一部に１、２個残留する場合を含むものである。
【００２５】
（パチンコ機の構成）
図１〜図３には、遊技機としてのパチンコ機１０が示されている。パチンコ機１０は、パチンコ機１０の外郭を構成するとともにパチンコホールの島設備（図示省略）に設置される矩形状の外枠１２を備えている。外枠１２の前面には、合成樹脂で矩形額縁状に形成された内枠１４が配置されており、内枠１４の下側となる外枠１２の前面下端部には、パチンコ機１０の前面下端部を構成する合成樹脂製の下飾り１６が取り付けられている。
【００２６】
内枠１４は、外枠１２の左上角部と下飾り１６の左上角部とに設けられた一対のヒンジ部１８、２０に、左側端部が軸支されて開閉可能に取り付けられている。内枠１４の前面上部には、パチンコ機１０の前面上部を構成するガラス枠２２が配置されている。ガラス枠２２には、縦長略楕円形の窓部２４にガラス板２６が装着されるとともに、左側端部が内枠１４に軸支されて開閉可能に取り付けられている。
【００２７】
ガラス枠２２の裏面側となる内枠１４の前面上部には、矩形状の開口部１５が形成されている。この内枠１４の開口部１５には、遊技盤Ｇが着脱（交換）可能にセットされている。遊技盤Ｇは、内枠１４に対して閉塞されたガラス枠２２によって覆われている。また、遊技盤Ｇの盤面上に設けられた遊技領域ＰＡが、パチンコ機１０の正面側から窓部２４のガラス板２６を通して視認可能とされている。
【００２８】
ガラス枠２２の前面で左右の両側端部には、遊技の進行に応じて点灯、消灯、及び点滅し照明による演出を行う複数のランプ２８が配設されている。また、ガラス枠２２の左上と右上の各角部近傍に、遊技の進行に応じて効果音をステレオ出力する中高音用のスピーカ３０Ｌ、３０Ｒが内蔵されている。
【００２９】
一方、内枠１４の前面下部には、パチンコ機１０の前面下部を構成する皿ユニット４０が配置されている。皿ユニット４０は、皿ユニット４０の本体部を構成するベース４１の左側端部が、内枠１４に軸支されて開閉可能に取り付けられている。ベース４１の前面上部には、遊技球としてのパチンコ球を遊技盤Ｇへ向けて発射するために貯留して、後述する発射装置６０へ供給する上皿４２が突設されている。また、ベース４１の前面下部における上皿４２の左下には、上皿４２に貯留しきれないパチンコ球を貯留するための下皿４４が突設されている。
【００３０】
上皿４２は、底面が正面視にて右側から左側へ向けて下り傾斜している。上皿４２の底面の傾斜方向下流側には、上皿４２内に貯留されたパチンコ球を１列に整列して、ベース４１の裏面に取り付けられた球送り装置４５へ誘導する整列通路４６が設けられている。また、ベース４１によって構成された上皿４２の奥壁面における右側端部には、内枠１４の裏面に設けられた球払出装置１００（図３参照）から払い出された貸し球や賞球が排出される球排出口４８が形成されており、下皿４４の奥壁面における右側端部には、上皿４２に貯留しきれないパチンコ球が排出される球排出口４９が形成されている。
【００３１】
ベース４１の前面右下部には、発射装置６０と電気的に接続されて打球の発射力（飛距離）を調整する発射ハンドル５４が取り付けられている。ベース４１の前面左下部には、下皿４４に隣接して灰皿５６が設けられている。また、ベース４１の前面略中央は矩形箱状に前面へ膨出しており、内部には、遊技の進行に応じて効果音を出力する重低音用のスピーカ（図示省略）が設けられている。このスピーカから出力された音は、ベース４１の前面に形成された開口部５８から出力される。
【００３２】
図２に示すように、ベース４１の裏面における略中央部には、上皿４２に貯留しきれないパチンコ球を下皿４４へ流下させる球通路７０が設けられている。球通路７０は、上端部に通路入口７２が形成され、下端部に形成された通路出口（図示省略）は、前述の球排出口４９と連通している。また、球通路７０よりも回転支軸（ヒンジ部２０）に近い側には、球送り装置４５が取り付けられている。
【００３３】
一方、皿ユニット４０の後側（背面側）では、遊技盤Ｇの左下に発射装置６０が配置されている。発射装置６０は、発射ハンドル５４により打球の発射力（飛距離）が調整され、遊技領域ＰＡへ向けて矢印Ａ方向にパチンコ球を発射するようになっている。また、遊技盤Ｇの略中央下方から右下に掛けては、貯球タンク７４が内枠１４に着脱可能に取り付けられている。
【００３４】
貯球タンク７４は、上面が開口した箱型とされ、底面が正面視にて左側から右側へ向けて下り傾斜している。貯球タンク７４の底面の傾斜方向下流側となる右側の前面には、上皿４２の球排出口４８と連通したタンク出口７６が形成されている。また、貯球タンク７４の前面左側端部には、貯球タンク７４内のパチンコ球貯留量が満タンになった際にパチンコ球が溢れ出すオーバーフロー部７８が形成されている。貯球タンク７４及びオーバーフロー部７８の下側には、パチンコ機１０の本体を構成する壁部７３が形成されている。
【００３５】
図２及び図３に示すように、内枠１４の裏面における開放側（裏面視左側）の側端部には、内枠１４及びガラス枠２２を施錠するための施錠装置６４が取付けられている。施錠装置６４の下側には、皿ユニット４０をロックするためのロック装置６８が取り付けられている。これにより、皿ユニット４０が内枠１４に閉塞された状態でロック装置６８でロックされ、ガラス枠２２が内枠１４に閉塞された状態で施錠装置６４で施錠されるようになっている。施錠装置６４には、シリンダー錠６６が設けられており、シリンダー錠６６は、皿ユニット４０の前面右上に露出されている。
【００３６】
ここで、シリンダー錠６６の鍵孔に図示しない鍵を差し込んで開錠操作すると、外枠１２に施錠された内枠１４が開錠されて開放可能となる。また、内枠１４に施錠されたガラス枠２２が開錠されて開放可能となる。さらに、ガラス枠２２を開放することで露出されるロック装置６８のロック解除レバー６９を操作すると、内枠１４にロックされていた皿ユニット４０がロック解除されて開放可能となる。
【００３７】
一方、皿ユニット４０がロック装置６８によりロックされると、発射装置６０の前側に球送り装置４５が配置される。また、オーバーフロー部７８の前下側に球通路７０の通路入口７２が配置され、タンク出口７６及び球排出口４８を介して貯球タンク７４と上皿４２とが連通される。
【００３８】
図３に示すように、内枠１４の裏面における上部には、パチンコホールの島設備から供給されたパチンコ球を貯留するための貯留タンク８０が設けられている。また、内枠１４裏面の回転支軸側（裏面右側）の側端部には、貯留タンク８０に貯留されたパチンコ球を貯球タンク７４（図２参照）側へ流下させる球通路部材９０、９２が延設されている。そして、貯留タンク８０と球通路部材９０の間には、パチンコ球を予め決められた所定数ずつ球通路部材９０へ払い出し、又は貯留タンク８０内のパチンコ球を一斉球抜きする球払出装置１００が取り付けられている。
【００３９】
球通路部材９０は、球払出装置１００から払い出されたパチンコ球が２条で流下する球払出通路９４（９４Ａ、９４Ｂ）と、後述する球抜通路９５とが一体となって構成されている。同様に、球通路部材９２は、球通路部材９０の球払出通路９４Ａ、９４から流下したパチンコ球が２条で流下する球払出通路９６（９６Ａ、９６Ｂ）と、後述する球抜通路９７とが一体となって構成されている。なお、球払出通路９４Ａ、９４Ｂは、手前側が透明なアクリル板（図示省略）で覆われて内部が視認可能となっているが、球払出通路９６Ａ、９６Ｂは不透明なカバーで覆われ、視認不可となっている。
【００４０】
球通路部材９２（球払出通路９６Ａ、９６Ｂ）の下側には、前述の発射装置６０が取付けられている。そして、発射装置６０の左側には、球払出装置１００を動作制御してパチンコ球の払い出しを実行及び停止させる制御基板８８が設けられている。制御基板８８は、払出停止制御と払出実行制御を実行可能に設けられている。
【００４１】
払出停止制御の場合、制御基板８８は、球払出装置１００を駆動停止させてパチンコ球の払い出しを停止する。一方、払出実行制御の場合、制御基板８８は、球払出装置１００を駆動し、貯留タンク８０から球払出装置１００を経由して球通路部材９０へ、パチンコ球を貸し球又は賞球として払い出す。そして、球払出通路９４、９６を通り貯球タンク７４へ誘導されたパチンコ球は、貯球タンク７４内を上流側（左側）から下流側（右側）へ転動して球排出口４８から排出され、上皿４２に貯留される。
【００４２】
図１及び図２に示すように、パチンコ球は、上皿４２内を下流側（左側）へ流下しつつ整列通路４６により１列に整列され、遊技者の発射ハンドル５４の操作により、球送り装置４５により１球ずつ発射装置６０に送り込まれる。発射装置６０に送り込まれたパチンコ球は、発射装置６０によって遊技盤Ｇの遊技領域ＰＡへ発射される。このパチンコ球が遊技領域ＰＡを自重落下する過程で入賞又は外れとなることにより、遊技盤Ｇにてパチンコ球を用いた遊技が行われる。
【００４３】
遊技の進行に伴い、大量のパチンコ球が賞球として払い出されるなどして上皿４２が満タンになると、上皿４２に貯留しきれないパチンコ球は、貯球タンク７４に貯留される。さらに貯球タンク７４が満タンになると、パチンコ球はオーバーフロー部７８から溢れ出す。この貯球タンク７４から溢れ出したパチンコ球は、手前の通路入口７２に落下して球通路７０を流下し、球排出口４９から排出されて下皿４４に貯留される。
【００４４】
また、遊技の終了時などに、上皿４２の前面左側に設けられた球抜きレバー５０を操作すると、整列通路４６の最下流部が開放して、上皿４２に貯留されたパチンコ球が球通路７０へ排出され下皿４４へ流下する。さらに、下皿４４がパチンコ球で満タンになったときや遊技の終了時などに、下皿４４の前面下側に設けられた下皿用球抜きレバー５２を操作すると、下皿４４底面の一部が開放して、下皿４４に貯留されたパチンコ球が下皿４４の下方に配置された図示しない球箱へ排出される。
【００４５】
一方、図２に示すように、内枠１４の前面におけるタンク出口７６の下方位置と、皿ユニット４０のベース４１裏面における球排出口４８の下方位置とには、上下方向にスライド可能とされた一対のシャッター板７７、７９が取り付けられている。
【００４６】
シャッター板７７、７９は、皿ユニット４０が閉塞されると各々下方へ移動して、タンク出口７６と球排出口４８とを開放し連通させる。また、シャッター板７７、７９は、皿ユニット４０が開放されると各々上方へ移動して、内枠１４側のシャッター板７７はタンク出口７６の下縁側を塞ぎ、皿ユニット４０側のシャッター板７９は球排出口４８の下縁側を塞ぐ。このシャッター板７７、７９によって、皿ユニット４０を開放した際に、貯球タンク７４及び上皿４２からパチンコ球が流出しないよう塞き止められる。
【００４７】
図４及び図５（ａ）に示すように、貯留タンク８０は、上面が開放された箱状となっており、パチンコ機１０の裏面視にて左下側へ傾斜した底面８０Ａと、底面８０Ａの終端から右下側へ傾斜した底面８０Ｂとを有している。また、貯留タンク８０の右側面手前は、側壁が右方向へ突出しており、球払出装置１００に向けて底面が開口された球排出部８２が形成されている。球排出部８２の上面には、遊技球制限部材としてのカバー部材８４が取り付けられている。このカバー部材８４によってパチンコ球の通路が狭められ、貯留タンク８０から球払出装置１００へ向けて流下するパチンコ球の数量を制限するようになっている。
【００４８】
図５（ａ）に示すように、球排出部８２は、貯留タンク８０の側壁と連続した一対の側壁８３を有している。なお、図５（ａ）では、カバー部材８４を取り外した状態が示されている。側壁８３は、パチンコ機１０の裏面視にて手前側に立設された側壁８３Ａと、奥側に立設された側壁８３Ｂとで構成されている。ここで、側壁８３Ａには、手前側（外側）へ向けて係合ピン８５が突設されている。係合ピン８５は、後述する球払出装置１００の固定に用いられる。また、側壁８３Ａ、８３Ｂには、それぞれの外側へ向けて支持シャフト８７が設けられている。支持シャフト８７の端部には切り込みが形成されており、支持シャフト８７で後述する球払出装置１００の球受部材１０２が回転可能に支持される。
【００４９】
ここで、パチンコホールの島設備から貯留タンク８０へ流下したパチンコ球は、底面８０Ａを左下方向へ流下する。そして、底面８０Ａの終端で底面８０Ｂに流れ、さらに底面８０Ｂを右下方向へ流下して球排出部８２へ流れて、球払出装置１００へ流下する。
【００５０】
図４及び図５（ａ）、（ｂ）に示すように、球通路部材９０は、パチンコ機１０の裏面視にて、手前側に球払出通路９４Ａ、９４Ｂが配置され、奥側に球抜通路９５が配置されている。球抜通路９５は、パチンコ球が２×２配列で同時に挿通可能な大きさの断面四角形状で上下に貫通した筒状体であり、この筒状体の側面から外側へ３本のリブが突設されるようにして、球払出通路９４Ａ、９４Ｂが形成されている。球払出通路９４Ａ、９４Ｂは、正面から見て蛇行形状となっており、パチンコ球が一気に落下するのを抑えている。
（球払出装置の構成）
図６（ａ）に示すように、球払出装置１００は、上面が開口した箱体としての球受部材１０２を有している。球受部材１０２は、カーボン入りのＡＢＳ樹脂等で構成されており、導電性を有している。これにより、パチンコ球の静電気を除去し易くしている。
【００５１】
球受部材１０２の底面には、パチンコ球を１個ずつ払い出すための貫通孔である球払出口１０４Ａ、１０４Ｂ（図５（ｂ）参照）が形成されている。そして、球払出口１０４Ａ、１０４Ｂを下に向けた状態の正面視にて球受部材１０２の左側面には、球抜口１０６が形成されている。球抜口１０６の開口面積は、球抜通路９５の断面積よりも僅かに小さい大きさとなっている。
【００５２】
図７（ｂ）に示すように、球排出部８２の開口縁には、下方側へ向けて板状の係合部８３Ｃが突設されている。係合部８３Ｃは、パチンコ球の直径よりも小さい幅の板材が、パチンコ球の直径よりも小さい幅の間隔をあけて、球抜口１０６と対向するように並んだ構成となっている。
【００５３】
一方、球抜口１０６には、球受部材１０２の外側へ向けて係合部１０６Ａが突設されている。係合部１０６Ａは、係合部８３Ｃの間隔よりも僅かに小さい幅の板材が、係合部８３Ｃの板材の幅よりも大きい間隔をあけて、係合部８３Ｃと対向するように並んだ構成となっている。ここで、球払出口１０４Ａ、１０４Ｂが下を向いた状態では、係合部８３Ｃと係合部１０６Ａが十字状にクロスして係合するため、パチンコ球が隙間からこぼれるのを防いでいる。
【００５４】
図６（ａ）に示すように、球受部材１０２の一対の側壁１０３Ａ、１０３Ｂ（正面視にて手前側が１０３Ａ、奥側が１０３Ｂ）には貫通孔（図示省略）が形成されており、この貫通孔にスクリュー部材１０８の回転シャフト１０８Ａの両端が挿通され、スクリュー部材１０８が回転可能に支持されている。なお、側壁１０３Ｂにおいて、回転シャフト１０８Ａが挿通された部位とは異なる部位に、貫通穴１１７が形成されている。
【００５５】
スクリュー部材１０８は、回転シャフト１０８Ａの外周面に螺旋状の羽部１０８Ｂが形成されており、複数の羽部１０８Ｂの間隔は、パチンコ球の搬送が可能となる大きさとなっている。また、側壁１０３Ｂの外側で回転シャフト１０８Ａの一端には、所定の歯数の従動ギヤ１１２が固定されており、側壁１０３Ａの外側で回転シャフト１０８Ａの他端には、抜け止めのワッシャ１１３が設けられている。
【００５６】
また、球受部材１０２の底面には、従動ギヤ１１２の回転量（回転数）をカウントして球払出口１０４Ａ、１０４Ｂからのパチンコ球の払い出し数を管理するための検知基板１１４が設けられている。
【００５７】
一方、球受部材１０２の上面には、球受部材１０２の上面の一部（側壁１０３Ａ側）を覆って板状の蓋部材１１５が取り付けられている。さらに、蓋部材１１５の上面には、前述の側壁１０３Ｂと対向して、ガイド板１１６が立設されている。ガイド板１１６は、ポリアセタールで構成されており、弾性を有しているため、割れにくくなっている。なお、蓋部材１１５とガイド板１１６は一体成形してもよい。
【００５８】
ガイド板１１６は、側壁１０３Ｂの貫通穴１１７と連通可能な位置に貫通穴１１８が形成されている。また、ガイド板１１６は、貫通穴１１８の中心位置を中心とする円弧状の溝１２４が形成されている。溝１２４は、終端部１２４Ｂ、１２４Ｃが中央部１２４Ａよりも狭い狭幅部とされ、前述の係合ピン８５が挿通される。溝１２４の長さは、球払出口１０４Ａ、１０４Ｂが下を向く状態から、球抜口１０６が下を向く状態まで変更可能な長さとなっている。さらに、ガイド板１１６は、貫通穴１１８と溝１２４の間の領域に、外側へ向けて板状の摘み部１２６が突設されている。
【００５９】
ここで、図５（ａ）及び図６（ａ）に示すように、球排出部８２の係合ピン８５をガイド板１１６の溝１２４に挿通し、支持シャフト８７を貫通穴１１７、１１８に挿通させることにより、球受部材１０２及びガイド板１１６が一体で、支持シャフト８７を回転中心として回転可能となっている。
【００６０】
一方、図５（ａ）、（ｂ）に示すように、従動ギヤ１１２には、支持シャフト８７と同軸上に設けられモータ１２０により回転駆動又は駆動停止される駆動ギヤ１２２が噛合している。モータ１２０は、前述の制御基板８８（図３参照）によって動作制御される。ここで、モータ１２０が駆動され駆動ギヤ１２２が回転すると、従動ギヤ１１２が回転してスクリュー部材１０８が回転し、羽部１０８Ｂでパチンコ球が球払出口１０４Ａ、１０４Ｂへ搬送され払い出される。なお、パチンコ球はスクリュー部材１０８の左右両側で搬送されるため、球払出口１０４Ａ、１０４Ｂ両方からパチンコ球が払い出される。
【００６１】
ここで、球受部材１０２、球抜口１０６、球払出口１０４Ａ、１０４Ｂ、支持シャフト８７、駆動ギヤ１２２、スクリュー部材１０８、及び従動ギヤ１１２で球払出装置１００が構成されている。また、スクリュー部材１０８は、回転シャフト１０８Ａ、羽部１０８Ｂで構成されている。
【００６２】
図６（ｂ）は、駆動ギヤ１２２の回転を停止した状態（位置Ｏ）において、球受部材１０２の球払出口１０４Ａ、１０４Ｂが下を向いて配置されたときの従動ギヤ１１２の位置Ｐと、球受部材１０２の球抜口１０６が下を向いて配置されたときの従動ギヤ１１２の位置Ｑとを模式的に示したものである。
【００６３】
パチンコ球の払い出し時は、従動ギヤ１１２が位置Ｐにあり、駆動ギヤ１２２の回転（矢印Ｂ方向）に伴い従動ギヤ１１２がその場で回転（矢印Ａ方向）する。これによりパチンコ球が払い出される。
【００６４】
一方、貯留タンク８０内のパチンコ球の一斉球抜き時は、駆動ギヤ１２２が停止した状態となっている。このため、駆動ギヤ１２２の回転中心Ｏが球受部材１０２の移動の回転中心となり、従動ギヤ１１２は、球受部材１０２の回転移動に合わせて駆動ギヤ１２２の外周を転動（矢印Ｃ方向）して、位置Ｐから位置Ｑへ移動する。
【００６５】
これにより、図７（ａ）、（ｂ）に示すように、球払出口１０４Ａ、１０４Ｂが側方へ退避し、球抜口１０６が下に向けられ、貯留タンク８０からのパチンコ球の球抜きが可能となる。なお、従動ギヤ１１２が駆動ギヤ１２２の周囲を転動しているときは、球受部材１０２自体がその場で回転することは無い。
【００６６】
ここで、図６（ｂ）に示すように、駆動ギヤ１２２の回転中心をＯ、位置Ｐでの従動ギヤ１１２の中心をＰ、位置Ｑでの従動ギヤ１１２の中心をＱとすると、線分ＯＰに対する線分ＯＱの回転角θは、９０°以上となっている。ここでは、一例として、θ＝９５°としている。
【００６７】
次に、本発明の実施形態の作用について説明する。
【００６８】
図５（ａ）、（ｂ）、及び図８（ａ）に示すように、球払出装置１００において、溝１２４の終端部１２４Ｂと係合ピン８５を係合させ、球受部材１０２が球払出口１０４Ａ、１０４Ｂを下に向けて配置されている球払い出し状態では、球抜口１０６が貯留タンク８０側に配置される。これにより、貯留タンク８０内部と球受部材１０２内部が連通するため、パチンコ球ＰＢは、貯留タンク８０から球抜口１０６を通って球受部材１０２内に流下する。
【００６９】
続いて、モータ１２０が駆動ギヤ１２２を回転させると、駆動ギヤ１２２と噛合した従動ギヤ１１２が回転してスクリュー部材１０８が回転し、パチンコ球ＰＢが整列した状態で球払出口１０４Ａ、１０４Ｂに搬送される。球払出口１０４Ａ、１０４Ｂでは、決められた個数に到達するまで１個ずつパチンコ球ＰＢが払い出される。そして、検知基板１１４で決められた個数がカウントされると、モータ１２０が停止する。球払出口１０４Ａ、１０４Ｂから払い出されたパチンコ球ＰＢは、球払出通路９４Ａ、９４Ｂをそれぞれ流下し、さらに前述の球払出通路９６Ａ、９６Ｂ（図３参照）をそれぞれ流下して、上皿４２へ供給される。
【００７０】
一方、図６（ｂ）及び図８（ｂ）に示すように、貯留タンク８０の一斉球抜き時には、摘み部１２６をつかんで、支持シャフト８７を回転中心として駆動ギヤ１２２の周りに従動ギヤ１１２を転動させることにより球受部材１０２を回転させ、溝１２４の終端部１２４Ｃと係合ピン８５を係合させて、球抜口１０６を下に向ける。これにより、球払出口１０４Ａ、１０４Ｂが側方に退避する。
【００７１】
ここで、図９（ａ）、図１０（ａ）、（ｂ）に示すように、球抜通路９５上が開口（開放）された状態となるため、貯留タンク８０から球抜通路９５へパチンコ球ＰＢを直接流下させることができる。球抜通路９５を流下したパチンコ球ＰＢは、図示しない球通路を経由して、島設備に回収される。
【００７２】
また、図９（ｂ）に示すように、一斉球抜き時において、球受部材１０２内に残留しているパチンコ球ＰＢ（特にスクリュー部材１０８で搬送途中のもの）は、球受部材１０２を回転させることで球抜口１０６から球抜通路９５へ落下するため、通電してモータ１２０でスクリュー部材１０８を回転させなくても取り除かれる。これにより、貯留タンク８０内のパチンコ球ＰＢの球抜きを容易に行うことができる。なお、摘み部１２６を掴んで球受部材１０２を回転させるだけで、球抜口１０６と球払出口１０４Ａ、１０４Ｂの配置を切り換えられるので、球受部材１０２の底面をスライド移動させるようなものに比べると、余分なスペースが不要となり、球払出装置１００を省スペース化できる。
【００７３】
また、球払出装置１００では、パチンコ球ＰＢが払い出されるとき、又はパチンコ球ＰＢの一斉球抜きが行われるときに、係合ピン８５と溝１２４の終端部１２４Ｂ又は１２４Ｃを係合させることにより、球抜口１０６又は球払出口１０４Ａ、１０４Ｂが下を向いた状態で球受部材１０２が固定される。これにより、球払い出し中又は球抜き中の球受部材１０２の回転を抑えて、貯留タンク８０から流下するパチンコ球ＰＢの流れを安定させることができる。なお、球受部材１０２の回転途中は、溝１２４の終端部１２４Ｂ、１２４Ｃよりも幅広の中央部１２４Ａに係合ピン８５が位置するため、球受部材１０２をスムーズに回転させることができる。
【００７４】
さらに、球払出装置１００では、溝１２４を含むガイド板１１６が弾性部材で構成されているので、係合ピン８５と溝１２４の終端部１２４Ｂ、１２４Ｃとの係合時に、終端部１２４Ｂ、１２４Ｃが僅かに広がって係合が容易となり、溝１２４の割れが起きにくくなる。また、球受部材１０２が導電部材で構成されているので、パチンコ球ＰＢが流下するときの球受部材１０２との接触による静電気の発生を抑えることができる。
【００７５】
また、球払出装置１００では、球払出口１０４Ａ、１０４Ｂを下へ向けさせる球受部材１０２の回転方向が、従動ギヤ１１２の回転駆動方向と同じとなっているため、球受部材１０２には、球払出口１０４Ａ、１０４Ｂを下へ向けさせるような方向に力が作用する。これにより、球払い出し時に球受部材１０２が回転しにくくなり、球払出口１０４Ａ、１０４Ｂの位置を安定させることができる。
【００７６】
さらに、球払出装置１００では、カバー部材８４によって流路が狭められ、貯留タンク８０から球受部材１０２に流下するパチンコ球ＰＢの数量が制限されている。これにより、貯留タンク８０内にパチンコ球ＰＢが大量にある場合でも、パチンコ球ＰＢから球受部材１０２に作用する押圧力が制限され、球受部材１０２の回転を容易に行うことができる。なお、球払出装置１００では、ガイド板１１６に摘み部１２６が突設されているので、球受部材１０２全体を掴んで回す必要が無く、球受部材１０２の回転が容易となる。
【００７７】
また、パチンコ機１０では、球払出装置１００が省スペースとなっており、さらに、球抜通路９５と球払出通路９４Ａ、９４Ｂが一体化されて省スペースとなっているので、役物などを置くスペースを十分にとることができ、遊技の演出を多様化することができる。
【００７８】
なお、本発明は上記の実施形態に限定されない。
【００７９】
貯留タンク８０、球払出装置１００、及び球通路部材９０の取り付け位置は、パチンコ機１０の右下に向かうものに限定されず、パチンコ機１０のパチンコ球ＰＢの流下方向に合わせて、左下に向かうものであってもよい。この場合、各部材を左右逆転させた形状とすればよい。
【００８０】
球払出通路９４Ａ、９４Ｂ、９６Ａ、９６Ｂは、経路長によっては、蛇行させた形状ではなく、直線状であってもよい。また、球払出口１０４Ａ、１０４Ｂは、いずれか一方のみを用いるようにしてもよい。
【００８１】
回動手段として、例えば、球受部材１０２に磁性部材を取り付け、球受部材１０２の周囲に通電により磁界を発生するコイル部材を設けて、磁力により球受部材１０２を回転させるようにしてもよい。
【符号の説明】
【００８２】
１０  パチンコ機（遊技機）
８０  貯留タンク（貯留タンク）
８２  球排出部（球排出部）
８４  カバー部材（遊技球制限部材）
８５  係合ピン（凸部）
８７  支持シャフト（第１シャフト、回動手段）
９４Ａ  球払出通路（球払出通路）
９４Ｂ  球払出通路（球払出通路）
９５  球抜通路（球抜通路）
１００  球払出装置（球払出装置）
１０２  球受部材（箱体）
１０４Ａ  球払出口（球払出口）
１０４Ｂ  球払出口（球払出口）
１０６  球抜口（球抜口）
１０８  スクリュー部材（球払出手段）
１０８Ａ  回転シャフト（第２シャフト、球払出手段）
１０８Ｂ  羽部（羽部、球払出手段）
１１２  従動ギヤ（第２ギヤ、球払出手段）
１１６  ガイド板（ガイド板）
１２０  モータ（駆動源）
１２２  駆動ギヤ（第１ギヤ、回動手段）
１２４  溝（溝）
１２４Ｂ  終端部（狭幅部）
１２４Ｃ  終端部（狭幅部）
１２６  摘み部（摘み部）
ＰＢ  パチンコ球（遊技球）
【図１】
2010207282.tif 000003
【図２】
2010207282.tif 000004
【図３】
2010207282.tif 000005
【図４】
2010207282.tif 000006
【図５】
2010207282.tif 000007
【図６】
2010207282.tif 000008
【図７】
2010207282.tif 000009
【図８】
2010207282.tif 000010
【図９】
2010207282.tif 000011
【図１０】
2010207282.tif 000012